(57)【特許請求の範囲】
【請求項１】
略円筒状の固定ケースと、上記固定ケース内に回転可能に挿入された可動軸と、上記可動軸が挿通する貫通孔が設けられると共に上記固定ケース内に回転方向に対し固定され、上記可動軸に軸線方向へ移動可能に装着された固定板と、上記可動軸が挿通する貫通孔が設けられると共にこの貫通孔の内方に上記可動軸に設けた突出部が回転方向に当接するカム部が形成され、上記可動軸に軸線方向へ移動可能に装着された可動板と、上記固定板と上記可動板を弾接させるばねからなり、上記固定板の貫通孔と上記可動板の貫通孔の各外方に、所定の角度に上記固定板と上記可動板の両方を位置決めする切欠状または孔状の位置決め部を設けたダンパー装置。
【請求項２】
可動板のカム部を、所定角度で可動軸の突出部に当接するカム部とした請求項１記載のダンパー装置。
【請求項３】
軸部の外周に略壁状の保持部または略ピン状の保持部を設けた保持具に、固定板の位置決め部と可動板の位置決め部を上記保持部に当接させて、所定の角度で上記固定板と上記可動板を上記保持具に重ねて装着し、上記軸部外周にばねを装着してから、上記ばねと上記固定板と上記可動板を固定ケース内に挿入して収納した後、上記固定ケースから上記保持具を引抜き、可動軸を上記固定板の貫通孔及び上記可動板の貫通孔に挿通する請求項１記載のダンパー装置の製造方法。
【発明の詳細な説明】
【技術分野】
【０００１】
本発明は、主に携帯電話やパーソナルコンピュータ等の、各種電子機器に使用されるダンパー装置及びその製造方法に関するものである。
【背景技術】
【０００２】
近年、携帯電話やパーソナルコンピュータ等の電子機器の高機能化や軽量化が進むなか、固定筐体に対し可動筐体が開閉可能に装着された、所謂、折畳み式のものが増えており、これらに用いられるヒンジ装置やダンパー装置においても、確実でより多様な開閉操作が行えるものが求められている。
【０００３】
このような従来のダンパー装置について、図６及び図７を用いて説明する。
【０００４】
図７は従来のダンパー装置の断面図であり、同図において、１は略円筒状で金属製の固定ケース、２は略円板状で金属製の複数の固定板で、多角形状に形成された固定板２の外周が固定ケース１内周に当接して、複数の固定板２が固定ケース１内に軸線方向へ移動可能に収納されている。
【０００５】
また、３は固定ケース１内に挿入された金属製の可動軸、４は略円板状で金属製の複数の可動板で、この複数の可動板４が複数の固定板２の間に交互に配置されると共に、可動板４中央の多角形状の貫通孔内に、多角形状の可動軸３が挿通されて、複数の可動板４が可動軸３に軸線方向へ移動可能に装着されている。
【０００６】
そして、５は合成樹脂製の固定体、６は同じく固定カバーで、固定ケース１右端の開口部を固定カバー６が覆うと共に、固定体５の左端には合成樹脂製のスペーサ７が保持されている。
【０００７】
さらに、８はコイル状のばねで、このばね８がやや撓んだ状態で固定ケース１左側面と固定板２の間に装着されて、複数の固定板２と複数の可動板４を弾接させると共に、複数の固定板２と複数の可動板４の間には高粘度の潤滑剤（図示せず）が塗布されている。
【０００８】
また、複数の可動板４を装着し、複数の固定板２中央の円形状の貫通孔を挿通した可動軸３の左端が、止め輪９によって固定ケース１外側面に回転可能に保持されると共に、固定カバー６右側面からは可動軸３右端が回転可能に突出して、ダンパー装置１０が構成されている。
【０００９】
そして、このように構成されたダンパー装置１０が、例えば、図５の携帯電話の斜視図に示すように、固定ケース１が、上面に複数のキーが配列された操作部２１Ａやマイクロフォン等の音声入力部２１Ｂが形成された固定筐体２１へ、可動軸３右端が、表面に液晶表示素子等の表示部２２Ａやスピーカ等の音声出力部２２Ｂが形成された可動筐体２２へ各々固着される。
【００１０】
さらに、固定筐体２１と可動筐体２２の間には、複数のカムやばね（図示せず）等から形成されたヒンジ装置２３が装着され、このヒンジ装置２３によって、可動筐体２２が固定筐体２１に対し閉方向や開方向へ付勢され、開閉可能に軸支されて電子機器が構成される。
【００１１】
以上の構成において、例えば、可動筐体２２が閉じた状態から、固定筐体２１側面の押釦（図示せず）等を押圧操作すると、ヒンジ装置２３のカムやばね等が動作して、可動筐体２２に開く方向の力が加わり、可動筐体２２が開方向へ付勢されて開操作が行われる。
【００１２】
そして、この時、ダンパー装置１０の、可動筐体２２に右端が固着された可動軸３も開方向へ回転し、可動軸３に装着された複数の可動板４が回転するが、この可動板４には、これらの間に交互に配置され固定ケース１に装着された複数の固定板２が、ばね８によって弾接すると共に、可動板４と固定板２の間には高粘度の潤滑剤が塗布されているため、複数の可動板４と固定板２の間には開方向に対する抵抗が発生する。
【００１３】
つまり、可動筐体２２にはヒンジ装置２３によって開く方向への力が加わるが、同時にダンパー装置１０によって開方向に対する抵抗も加わるため、可動筐体２２の開操作が急激にではなく、緩やかに行われるように構成されている。
【００１４】
また、この開状態から可動筐体２２を手で閉じた場合には、所定角度まで閉じると、開閉装置２３のカムやばね等の動作によって、可動筐体２２に閉方向への力が加わり、可動筐体２２が閉じた状態で保持されるが、この閉操作の際にも、ダンパー装置１０によって可動筐体２２に閉方向への抵抗が加わり、可動筐体２２の閉操作は緩やかに行われる。
【００１５】
つまり、開閉装置２３によって可動筐体２２を開または閉方向へ付勢して、固定筐体２１に対する可動筐体２２の開閉操作を行うと共に、ダンパー装置１０によって可動筐体２２へ常に一定の抵抗を与え、可動筐体２２の衝撃のない緩やかな開閉操作が行われるように構成されているものであった。
【００１６】
なお、この出願の発明に関連する先行技術文献情報としては、例えば、特許文献１が知られている。
【特許文献１】特開２００７−３２１８３５号公報
【発明の開示】
【発明が解決しようとする課題】
【００１７】
しかしながら、上記従来のダンパー装置においては、ダンパー装置１０の製作を行う際、複数の固定板２と可動板４中央の円形状と多角形状の貫通孔を、多角形状の可動軸３に挿通させ、各々の固定板２と可動板４、及びこれらと固定ケース１や可動軸３との角度を位置決めしながら、固定板２や可動板４を固定ケース１内に挿入して組立てを行っているため、製作が煩雑で手間が掛かってしまうという課題があった。
【００１８】
本発明は、このような従来の課題を解決するものであり、製作が容易で、多様な開閉操作が可能なダンパー装置、及びその製造方法を提供することを目的とする。
【課題を解決するための手段】
【００１９】
上記目的を達成するために本発明は、以下の構成を有するものである。
【００２０】
本発明の請求項１に記載の発明は、略円筒状の固定ケースと、上記固定ケース内に回転可能に挿入された可動軸と、上記可動軸が挿通する貫通孔が設けられると共に上記固定ケース内に回転方向に対し固定され、上記可動軸に軸線方向へ移動可能に装着された固定板と、上記可動軸が挿通する貫通孔が設けられると共にこの貫通孔の内方に上記可動軸に設けた突出部が回転方向に当接するカム部が形成され、上記可動軸に軸線方向へ移動可能に装着された可動板と、上記固定板と上記可動板を弾接させるばねからなり、上記固定板の貫通孔と上記可動板の貫通孔の各外方に、所定の角度に上記固定板と上記可動板の両方を位置決めする切欠状または孔状の位置決め部を設けてダンパー装置を構成したものであり、製作を行う際、切欠状または孔状の位置決め部によって、固定板と可動板を位置決めした状態で保持具等に装着し、これを固定ケース内に挿入して組立てを行うことができるため、組立てが容易で、安価に製作が可能なダンパー装置を得ることができるという作用を有する。
【００２１】
請求項２に記載の発明は、請求項１記載の発明において、可動板のカム部を、所定角度で可動軸の突出部に当接するカム部としたものであり、カム部を所定の角度に形成することによって、所定角度までは速やかに開いたり、閉じる直前には速やかに閉じたりするといった、多様な開閉操作を行うことができるという作用を有する。
【００２２】
請求項３に記載の発明は、軸部の外周に略壁状の保持部または略ピン状の保持部を設けた保持具に、固定板の位置決め部と可動板の位置決め部を上記保持部に当接させて、所定の角度で上記固定板と上記可動板を上記保持具に重ねて装着し、上記軸部外周にばねを装着してから、上記ばねと上記固定板と上記可動板を固定ケース内に挿入して収納した後、上記固定ケースから上記保持具を引抜き、可動軸を上記固定板の貫通孔及び上記可動板の貫通孔に挿通して請求項１記載のダンパー装置を製作するものであり、製作が容易で、多様な開閉操作が可能なダンパー装置を実現することができるという作用を有する。
【発明の効果】
【００２３】
以上のように本発明によれば、製作が容易で、多様な開閉操作が可能なダンパー装置及びその製造方法を実現することができるという有利な効果が得られる。
【発明を実施するための最良の形態】
【００２４】
以下、本発明の実施の形態について、図１〜図５を用いて説明する。
【００２５】
なお、背景技術の項で説明した構成と同一構成の部分には同一符号を付して、詳細な説明を簡略化する。
【００２６】
（実施の形態）
図１は本発明の一実施の形態によるダンパー装置の断面図、図２は同分解斜視図であり、同図において、１１は略円筒状で鋼や銅合金、焼結合金、或いは合成樹脂製の固定ケース、１２は同じく略八角形状の固定板で、固定板１２中央には円形状の貫通孔１２Ａが設けられると共に、固定板１２の外周が固定ケース１１の略八角形状の角筒部１１Ａ内周に当接して、複数の固定板１２が固定ケース１１内に軸線方向へ移動可能に収納されている。
【００２７】
また、１３は固定ケース１１内に挿入された鋼や銅合金、焼結合金、或いは合成樹脂製の可動軸、１４は同じく略円板状の可動板で、この複数の可動板１４が複数の固定板１２の間に交互に配置されると共に、可動板１４中央の貫通孔１４Ａ内に可動軸１３が挿通されて、複数の可動板１４が可動軸１３に軸線方向へ移動可能に装着されている。
【００２８】
さらに、固定板１２と可動板１４の貫通孔１２Ａと１４Ａには、外方へ延出する一対の切欠状の位置決め部１２Ｂと１４Ｂが設けられると共に、複数の可動板１４の貫通孔１４Ａ内には可動軸１３の一対の突出部１３Ａが当接する、内方へ突出した異なる寸法の一対のカム部１５Ａや１５Ｂ、１５Ｃが、各々異なる角度で形成されている。
【００２９】
そして、５は金属または合成樹脂製の固定体、６は同じく固定カバーで、固定ケース１１右端の開口部を固定カバー６が覆うと共に、固定体５の左端には合成樹脂製のスペーサ７が保持されている。
【００３０】
また、８はコイル状で銅合金や鋼線製のばねで、このばね８がやや撓んだ状態で固定ケース１１左側面と固定板１２の間に装着されて、複数の固定板１２と複数の可動板１４を弾接させると共に、複数の固定板１２と複数の可動板１４の間には高粘度のシリコーンやオレフィン系、フッ素系等の潤滑剤（図示せず）が塗布されている。
【００３１】
さらに、複数の可動板１４を装着し、複数の固定板１２中央の貫通孔１２Ａを挿通した可動軸１３の左端が、止め輪９によって固定ケース１１外側面に回転可能に保持されると共に、固定カバー６右側面からは可動軸１３右端が回転可能に突出して、ダンパー装置１７が構成されている。
【００３２】
また、このようなダンパー装置１７を製作するには、先ず、図３（ａ）の斜視図に示すように、保持具１９の軸部１９Ａ外周に固定体５と固定カバー６を装着した後、軸部１９Ａ外周の略壁状の一対の保持部１９Ｂに、複数の固定板１２と可動板１４の一対の切欠状の位置決め部１２Ｂと１４Ｂを当接させ、軸部１９Ａを貫通孔１２Ａや１４Ａ内に挿通して、図３（ｂ）に示すように、複数の固定板１２と可動板１４を保持具１９に装着する。
【００３３】
つまり、この状態で複数の固定板１２と可動板１４は、位置決め部１２Ｂと１４Ｂに当接した保持部１９Ｂによって、各々の固定板１２と可動板１４、及び複数の可動板１４のカム部１５Ａや１５Ｂ、１５Ｃの角度が位置決めされた状態で、保持具１９に重ねて装着される。
【００３４】
そして、次に、図４（ａ）に示すように、軸部１９Ａ外周にばね８を装着してから、図４（ｂ）に示すように、複数の固定板１２と可動板１４が装着された保持具１９左端を、ばね８を撓めながら固定ケース１１内に挿入し、固定ケース１１外周にかしめ加工等を行って、固定ケース１１に固定カバー６を固着した後、保持具１９を固定ケース１１から引き抜く。
【００３５】
すなわち、この状態で、複数の固定板１２の外周が固定ケース１１の角筒部１１Ａ内周に当接すると共に、複数の固定板１２と可動板１４、及び複数の可動板１４のカム部１５Ａや１５Ｂ、１５Ｃの角度が位置決めされた状態で、固定板１２と可動板１４が固定ケース１１内に収納される。
【００３６】
さらに、この後、固定カバー６右端から可動軸１３を挿入し、複数の固定板１２と可動板１４の貫通孔１２Ａや１４Ａ、ばね８内を挿通させた後、固定ケース１１外側面から突出した可動軸１３の左端に止め輪９を装着し、この止め輪９をかしめることによって、可動軸１３を固定ケース１１に回転可能に保持して、ダンパー装置１７が完成する。
【００３７】
つまり、複数の固定板１２と可動板１４の貫通孔１２Ａと１４Ａに、外方へ延出する一対の切欠状の位置決め部１２Ｂと１４Ｂを設けると共に、この位置決め部１２Ｂと１４Ｂを保持具１９の略壁状の一対の保持部１９Ｂに当接させて、複数の固定板１２と可動板１４を保持具１９に装着し、これを固定ケース１１内に挿入して、ダンパー装置１７の組立てが行われるようになっている。
【００３８】
すなわち、一対の切欠状の位置決め部１２Ｂと１４Ｂによって、複数の固定板１２と可動板１４、及び複数の可動板１４のカム部１５Ａや１５Ｂ、１５Ｃの各々の角度を位置決めした状態で、固定板１２と可動板１４を保持具１９に装着し、これを固定ケース１１内に挿入して組立てを行えるようになっているため、容易にダンパー装置１７の製作が可能なように構成されている。
【００３９】
そして、このように構成されたダンパー装置１７が、例えば、図６の携帯電話の斜視図に示すように、固定ケース１１が、上面に複数のキーが配列された操作部２１Ａやマイクロフォン等の音声入力部２１Ｂが形成された固定筐体２１へ、可動軸１３右端が、表面に液晶表示素子等の表示部２２Ａやスピーカ等の音声出力部２２Ｂが形成された可動筐体２２へ各々固着される。
【００４０】
さらに、固定筐体２１と可動筐体２２の間には、複数のカムやばね（図示せず）等から形成されたヒンジ装置２３が装着され、このヒンジ装置２３によって、可動筐体２２が固定筐体２１に対し閉方向や開方向ヘ付勢され、開閉可能に軸支されて電子機器が構成される。
【００４１】
以上の構成において、例えば、可動筐体２２が閉じた状態から、固定筐体２１側面の押釦（図示せず）等を押圧操作すると、ヒンジ装置２３のカムやばね等が動作して、可動筐体２２に開く方向の力が加わり、可動筐体２２が開方向へ付勢されて開操作が行われる。
【００４２】
そして、この時、ダンパー装置１７の、可動筐体２２に右端が固着された可動軸１３も開方向ヘ回転し、可動軸１３に装着された複数の可動板１４が回転するが、この可動板１４には、これらの間に交互に配置され固定ケース１１に装着された複数の固定板１２が、ばね８によって弾接すると共に、可動板１４と固定板１２の間には高粘度の潤滑剤が塗布されているため、複数の可動板１４と固定板１２の間には開方向に対する抵抗が発生する。
【００４３】
つまり、可動筐体２２にはヒンジ装置２３によって開く方向への力が加わるが、同時にダンパー装置１７によって開方向に対する抵抗も加わるため、可動筐体２２の開操作が急激にではなく緩やかに行われる。
【００４４】
また、この時、複数の可動板１４の貫通孔１４Ａ内には、内方へ突出した異なる寸法の一対のカム部１５Ａや１５Ｂ、１５Ｃが、各々異なる角度で形成されているため、これらを所定の角度に形成することによって、可動軸１３の回転する力を開く角度に応じて変化させ、可動筐体２２の開操作を多様なものに構成することが可能なようになっている。
【００４５】
つまり、例えば、図２や図３（ａ）に示す、１枚目の可動板１４のカム部１５Ａを、可動軸１３が５０度回転すると突出部１３Ａが当接するように形成し、２枚目のカム部１５Ｂを８０度、３枚目のカム部１５Ｃを１００度回転すると突出部１３Ａが各々当接するように形成した場合、可動軸１３が閉状態から５０度まで回転する間は、突出部１３Ａがカム部１５Ａと１５Ｂ、１５Ｃのいずれにも当接しないため、この間はダンパー装置１７による抵抗が生じず、可動筐体２２の開操作はヒンジ装置２３の開方向への付勢力によって速やかに行われる。
【００４６】
また、この後、可動筐体２２が５０度まで開いた状態になると、可動軸１３の突出部１３Ａが１枚目の可動板１４のカム部１５Ａに当接するため、これ以降は、突出部１３Ａにカム部１５Ａを押圧された１枚目の可動板１４が可動軸１３と共に回転する。
【００４７】
そして、この１枚目の可動板１４とこの左右に配置された固定板１２は、ばね８によって弾接すると共に、これらの固定板１２と可動板１４の間には高粘度の潤滑剤が塗布されているため、１枚目の可動板１４と可動軸１３には開方向に対する抵抗が発生する。
【００４８】
さらに、可動軸１３が８０度回転した状態になると、可動軸１３の突出部１３Ａが２枚目の可動板１４のカム部１５Ｂに当接し、１００度回転した状態になると、３枚目の可動板１４のカム部１５Ｃにも当接し、この後、例えば１６０度回転するまでの間は、３枚の可動板１４による抵抗が可動軸１３や可動筐体２２に加わる。
【００４９】
すなわち、閉状態から５０度に開くまでの間は、可動板１４と固定板１２による抵抗力は発生せず、殆んど抵抗がなく、速やかに可動筐体２２の開操作が行われるが、５０度から８０度の間は１枚目の可動板１４による抵抗が可動軸１３や可動筐体２２に加わり、８０度から１００度の間はさらに２枚目の可動板１４による抵抗が、１００度から１６０度の間は３枚目の可動板１４による抵抗が各々加わり、可動筐体２２の緩やかな開操作が行われるようになっている。
【００５０】
なお、この開状態から可動筐体２２を手で閉じる際にも、同様に、開閉装置２３のカムやばね等の動作によって可動筐体２２に閉方向への力が加わると共に、ダンパー装置１７によって可動筐体２２に閉方向への抵抗が加わるが、１００度まで閉じる間は最も抵抗が大きく、８０度、５０度と順次抵抗が小さくなっていき、５０度から閉じるまでの間は抵抗がなく、速やかな閉操作が行われる。
【００５１】
つまり、複数の可動板１４に、可動軸１３の突出部１３Ａに各々異なる角度で当接するカム部１５Ａと１５Ｂ、１５Ｃを設けることで、所定角度までは速やかに開いたり、閉じる直前には速やかに閉じたりするといった、より多様な開閉操作を行うことができるように構成されている。
【００５２】
このように本実施の形態によれば、固定ケース１１内に収納された固定板１２と、可動軸１３に軸線方向へ移動可能に装着された可動板１４に、切欠状の位置決め部１２Ｂと１４Ｂを設けると共に、この位置決め部１２Ｂと１４Ｂを保持具１９の略壁状の一対の保持部１９Ｂに当接させて、複数の固定板１２と可動板１４を保持具１９に装着し、これを固定ケース１１内に挿入して、ダンパー装置１７の組立てを行うことによって、組立てが容易で、安価に製作が可能なダンパー装置及びその製造方法を得ることができるものである。
【００５３】
また、可動板１４に所定角度で可動軸１３に当接するカム部１５Ａや１５Ｂ、１５Ｃを設け、これを所定の角度に形成することによって、所定角度までは速やかに開いたり、閉じる直前には速やかに閉じたりするといった、多様な開閉操作を行うことができる。
【００５４】
なお、以上の説明では、複数の固定板１２と可動板１４の貫通孔１２Ａと１４Ａに、外方へ延出する一対の切欠状の位置決め部１２Ｂと１４Ｂを設け、この位置決め部１２Ｂと１４Ｂを保持具１９の略壁状の一対の保持部１９Ｂに当接させて組立てを行う構成について説明したが、図５（ａ）の部分斜視図に示すように、固定板１２や可動板１４の外周に一対の切欠状の位置決め部１２Ｃや１４Ｃを設けた構成や、あるいは、図５（ｂ）に示すように、固定板１２や可動板１４に一対の孔状の位置決め部１２Ｄや１４Ｄを設けた構成としても、本発明の実施は可能である。
【００５５】
そして、この場合には、同図に示すように、保持具に一対の略ピン状の保持部１９Ｃや１９Ｄを設け、これらに位置決め部１２Ｃや１４Ｃ、１２Ｄや１４Ｄを当接させて、複数の固定板１２と可動板１４の固定ケース１１への組立てを行うことで、上記の構成と同様に、複数の固定板１２と可動板１４等の角度を位置決めした状態で、容易にダンパー装置の製作を行うことができる。
【００５６】
また、以上の説明では、開閉操作を判り易くするために、各々３枚の固定板１２と可動板１４を弾接させた構成について説明したが、固定板１２や可動板１４を１枚ずつとした構成や、あるいは５枚、６枚とさらに多くの固定板１２や可動板１４を弾接させた構成としても、本発明の実施は可能である。
【００５７】
さらに、以上の説明では、固定筐体２１と可動筐体２２の左右にヒンジ装置２３とダンパー装置１７を装着して、電子機器を形成した構成について説明したが、ダンパー装置内にカムやばねによってヒンジ機能を形成し、ダンパー装置とヒンジ装置を一体化したものとしてもよい。
【産業上の利用可能性】
【００５８】
本発明によるダンパー装置及びその製造方法は、製作が容易で、多様な開閉操作が可能なものを得ることができ、主に各種電子機器の開閉操作用として有用である。
【図面の簡単な説明】
【００５９】
【図１】本発明の一実施の形態によるダンパー装置の断面図
【図２】同分解斜視図
【図３】同斜視図
【図４】同斜視図
【図５】同部分斜視図
【図６】携帯電話の斜視図
【図７】従来のダンパー装置の断面図
【符号の説明】
【００６０】
５  固定体
６  固定カバー
７  スペーサ
８  ばね
９  止め輪
１１  固定ケース
１１Ａ  角筒部
１２  固定板
１２Ａ、１４Ａ  貫通孔
１２Ｂ、１２Ｃ、１２Ｄ、１４Ｂ、１４Ｃ、１４Ｄ  位置決め部
１３  可動軸
１４  可動板
１５Ａ、１５Ｂ、１５Ｃ  カム部
１７  ダンパー装置
１９  保持具
１９Ａ  軸部
１９Ｂ、１９Ｃ、１９Ｄ  保持部
２１  固定筐体
２１Ａ  操作部
２１Ｂ  音声入力部
２２  可動筐体
２２Ａ  表示部
２２Ｂ  音声出力部
２３  ヒンジ装置
【図１】
0004978565.tif 000002
【図２】
0004978565.tif 000003
【図３】
0004978565.tif 000004
【図４】
0004978565.tif 000005
【図５】
0004978565.tif 000006
【図６】
0004978565.tif 000007
【図７】
0004978565.tif 000008